(57)【要約】【課題】マウスの上面や側面の形状に応じた取り付けの工夫をすることなく、手や指の擦れを防止する機能を付加する、マウス補助具を提供する。【解決手段】マウスの下に敷き、マウスからはみだして、使用者の手とマウスの作業台との間に位置し、マウスと一体に動かされる、シート状のマウス補助具。【選択図】図１
2005141283.tif 000002
【特許請求の範囲】
【請求項１】
マウスの下に敷き、マウスからはみだして、使用者の手とマウスの作業台との間に位置し、マウスと一体に動かされる、シート状のマウス補助具。
【請求項２】
穴または切れ込みを設けた、請求項１に記載のマウス補助具。
【請求項３】
折り目を設けた、請求項１または２に記載のマウス補助具。
【請求項４】
香りを生ずる材料を使用者の手に接する面の裏面に配置した、請求項１，２，３に記載のマウス補助具。
【請求項５】
請求項１，２，３，４に記載のマウス補助具の切り抜きを有するシート。
【請求項６】
請求項１，２，３，４に記載のマウス補助具の切り抜きを有する本。
【請求項７】
請求項１，２，３，４に記載のマウス補助具を有する、光ディスクのケース。
【発明の詳細な説明】
【技術分野】
【０００１】
本発明は、コンピュータのポインティングデバイスであるマウスに関する。
【背景技術】
【０００２】
コンピュータのポインティングデバイスであるマウスは、携帯性の点においては小型のものが望ましい。しかし、マウスを小型化すると、マウスの左右端部に位置する指とマウスの作業台とが擦れやすくなり、マウスの使用感を損なう。
【０００３】
マウス使用時の指の擦れを防止する従来技術には、マウスの端部に位置する指とマウスの作業台との擦れを防止する機構を設けたマウスがある。（たとえば、特許文献１参照。）また、マウスの上面にカバーを取り付ける方法がある。（たとえば、特許文献２参照。）
【特許文献１】ＵＳＰ５，９９０，８７０
【特許文献２】特開２００１−２１６０８７
【発明の開示】
【発明が解決しようとする課題】
【０００４】
従来のＵＳＰ５，９９０，８７０は、指の擦れを防止する機構を設けたマウスであり、指の擦れを防止する機構を持たないマウスを対象とした考案ではなかった。本考案はこの問題点を解決し、指の擦れを防止する機構を持たないマウスに適用して、手や指の擦れを防止する機能を付加する、マウス補助具を提供する。
【０００５】
従来の特開２００１−２１６０８７は、マウス上面にカバーを取り付ける考案であり、マウスの上面や側面の形状に応じて、取り付けを工夫する必要があった。本考案はこの問題点を解決し、マウスの上面や側面の形状に応じた取り付けの工夫をすることなく適用する、マウス補助具を提供する。
【課題を解決するための手段】
【０００６】
請求項１は、マウスの下に敷き、マウスからはみだして使用者の手とマウスの作業台との間に位置し、マウスと一体に動かされる、シート状のマウス補助具である。本考案は、机上で使用されるマウスの下面が概平面であることに着目した。
【０００７】
従来の技術では、使用者の手に作用するマウス補助具を、マウスの上面や側面に取り付けていた。マウスに補助具を安定して取り付けるには、マウスの補助具とマウスとが面で接触するように取り付ける必要がある。しかし、マウスの上面や側面の形状は、マウスの機種により異なるので、従来のマウス補助具では、マウスの補助具とマウスとが面で接触するように、マウスの上面や側面の形状に応じて取り付けを工夫していた。
【０００８】
本考案では、使用者の手に作用するマウス補助具を、マウスの下に敷くように構成した。マウス下面の形状は機種にかかわらず概平面なので、概平面形状のマウス補助具をマウス下面に敷くことにより、マウス補助具とマウスとが面で接触して安定する。本考案のマウス補助具では、マウスの上面や側面の形状に応じて取り付けを工夫する必要がない。
【０００９】
本考案の特徴を図２と図３で説明する。図２は従来型のマウス補助具の説明図である。図２において、円形のマウス２１の側面は２３で、従来型のマウス補助具５０の取り付け面は５１、角形のマウス２２の側面は２４で、従来型のマウス補助具５０の取り付け面は５２である。
【００１０】
マウス２１とマウス２２とでは、側面２３と側面２４の形状が異なるので、従来は、対応する取り付け面を、面５１と面５２のように形状を変化させて取り付けの安定を得ていた。マウスの形状に応じて、マウス補助具の形状を変えていたので、マウス２１とマウス２２に、同一のマウス補助具を適用することが困難であった。このように、従来のマウス補助具は、形状の異なるマウスには、同一形状のマウス補助具を適用できなかった。
【００１１】
図３は本考案のマウス補助具の説明図である。マウス２１もマウス２２も、下面は共に概平面なので、本考案のマウス補助具１０の取り付け面１２も平面でよい。したがって、マウス補助具１０の形状を変えることなく、同一のマウス補助具を適用できる。このように、本考案は、形状の異なるマウスにも、同一形状のマウス補助具を適用できる。
【００１２】
本考案の作用を図４で説明する。本考案のマウス補助具１０は、マウス２０の下面からはみだして、マウス端部に位置する指３０とマウスの作業台４０との間に配置され、マウス端部に位置する指３０と、マウスの作業台４０との接触を防止する。本考案のマウス補助具１０は、マウス２０と一体に動かされるので、マウス端部に位置する指３０と、マウスの作業台４０との擦れを防止する。本考案は、マウス補助具１０の形により、手首や指先など、擦れを防止する手の部位を選択できる。
【００１３】
請求項２は、穴または切れ込みを設けた、請求項１に記載のマウス補助具である。請求項２の形態を図５に示す。請求項２は、マウスの移動検出手段が、穴または切れ込みから露出するように位置をあわせて使用する。請求項２は、マウスの移動検出手段が露出するので、マウスの移動検出機能を妨げない。
【００１４】
請求項３は、折り目を設けた、請求項１または２に記載のマウス補助具である。請求項３の形態を図６に示す。請求項３は、折り畳んで小さくできるので、移動に便利である。
【００１５】
請求項４は、香りを生ずる材料を、使用者の手に接する面の裏面に配置した、請求項１，２，３に記載のマウス補助具である。請求項４では、使用者の手に接する面と、香りを生ずる面とが表裏を成す。したがって、使用者の手は、香りを生ずる面と接しない。
【００１６】
請求項５は、請求項１，２，３，４に記載のマウス補助具の切り抜きを有するシートである。請求項５の形態を図７に示す。本考案によるマウス補助具は、マウスと一体に動かされるので、マウス補助具の輪郭形状は、マウスの移動範囲を制限することなく自在に設定してよい。
【００１７】
請求項６は、請求項１，２，３，４に記載のマウス補助具の切り抜きを有する本である。請求項６の形態を図８に示す。本考案によるマウス補助具は、マウスと一体に手で動かされるので、従来のマウスパッドのような強度を必要とせず、薄いシート状でもよい。したがって、本に綴じ込むのに適する。
【００１８】
請求項７は、請求項１，２，３，４に記載のマウス補助具を有する、光ディスクのケースである。請求項７の形態を図９に示す。本考案によるマウス補助具は、マウスと一体に動かされるので、マウス補助具の大きさはマウスの移動範囲を制限しない。また、マウスと一体に手で動かされるので、従来のマウスパッドのような強度を必要とせず、薄いシート状でもよい。したがって、小さく薄い光ディスクのケースへの付加に適する。
【発明の効果】
【００１９】
本考案のマウス補助具は、マウスに付加して、マウス使用者の手とマウスの台との擦れを防止する。本考案のマウス補助具は、手の擦れを防止する機構を持たないマウスにも、手の擦れを防止する効果を付加する。
【００２０】
本考案のマウス補助具は、マウスの上面や側面の形状に応じて取り付けの工夫をする必要がないので、形状の異なるマウスにも、同一形状のマウス補助具を適用できる。また、本考案のマウス補助具は、マウスの移動検出手段を妨げない。
【００２１】
本考案のマウス補助具は、マウスの移動により香りを生ずることができる。本考案のマウス補助具は、使用者の手が、香りを生ずる面と接しないので、使用者の手に香料が付着しにくく、使用感がよい。また、香りを生ずる材料は、使用者の手の汗の影響を受けにくい。
【００２２】
本考案のマウス補助具は、定型の状態で製造や流通ができるので取り扱いが容易である。本考案のマウス補助具は、表面印刷による情報のほかに、香りやマウス補助具の輪郭形状をも、情報のひとつとして提供可能とする。本考案のマウス補助具は、極めて単純な構成であり、既存の製造方法や流通方法を適用できるので、大量に生産して安価に情報を広める用途にも適し、広告媒体としても活用できる。
【発明を実施するための最良の形態】
【００２３】
本考案のマウス補助具の実施例を図１に示す。本考案のマウス補助具は、マウスの移動検出手段を妨げない程度に薄く構成し、マウス下面の移動検出手段が露出する位置に敷く。実施例では、本考案のマウス補助具の材料を紙で構成し、上面１２に印刷技術を用いて文字や絵を表現した。また、中央部に切れ込み１４を設けて、マウスの移動検出手段を妨げないようにした。本考案のマウス補助具を構成する材料は、手の擦れを防止できる程度の強度を持つ材料であれば、紙に限定することなく使用できる。
【００２４】
上面部に設けた高摩擦部１１は、弱粘着の糊を用いた。上面の高摩擦部は、本考案のマウス補助具とマウスとが一体に動かされやすくするものであれば、手段や形状を限定することなく使用できる。高摩擦の材料を用いたり、高摩擦の加工を施したり、粘着テープを使用するなどの手段も望ましい。高摩擦の表面を有する積層材料でマウス補助具を構成してもよい。
【００２５】
下面１３には、低摩擦の加工を施した。低摩擦の加工を施すほかに、低摩擦の材料を用いてもよい。低摩擦の表面を有する積層材料でマウス補助具を構成してもよい。また、下面１３に香料を含有する材料を配置すると、マウスの使用により香りを発生させることができる。摩擦により香りを発生させる材料を用いてもよく、香料入りマイクロカプセルを使用してもよい。
【００２６】
本考案のマウス補助具は、図１０のように左右に分割してもよい。
【図面の簡単な説明】
【００２７】
【図１】本考案のマウス補助具を表す図である。
【図２】従来のマウス補助具を説明する図である。
【図３】本考案のマウス補助具を説明する図である。
【図４】本考案のマウス補助具の作用を説明する図である。
【図５】本考案のマウス補助具の実施の形態を表す図である。
【図６】本考案のマウス補助具の実施の形態を表す図である。
【図７】本考案のマウス補助具の実施の形態を表す図である。
【図８】本考案のマウス補助具の実施の形態を表す図である。
【図９】本考案のマウス補助具の実施の形態を表す図である。
【図１０】本考案のマウス補助具の実施の形態を表す図である。
【符号の説明】
【００２８】
１０本考案のマウス補助具
１１高摩擦部
１２本考案のマウス補助具の上面
１３本考案のマウス補助具の下面
１４切れ込み
１５穴
１６折り目
２０マウス
２１丸形のマウス
２２角形のマウス
２３丸形のマウスの側面
２４角形のマウスの側面
３０マウスの端部に位置する指
４０マウスの作業台
【図１】
2005141283.tif 000003
【図２】
2005141283.tif 000004
【図３】
2005141283.tif 000005
【図４】
2005141283.tif 000006
【図５】
2005141283.tif 000007
【図６】
2005141283.tif 000008
【図７】
2005141283.tif 000009
【図８】
2005141283.tif 000010
【図９】
2005141283.tif 000011
【図１０】
2005141283.tif 000012